(57)【特許請求の範囲】
【請求項１】
カメラ本体に固定される固定枠とこの固定枠内に配され所定の範囲内で駆動される駆動枠とを有するレンズ鏡筒ユニットと、
上記固定枠に所定範囲内で移動可能に保持され、上記駆動枠の移動に伴って第１の位置から第２の位置との間で移動されると共に、上記駆動枠の移動に伴って移動される範囲外である第３の位置へと移動可能であって、カム面を有するカム部材と、
上記カム面と当接されるカムフォロアと、
上記カムフォロアを上記カム面に当接するための付勢手段と、
を具備し、
上記カム部材を上記第３の位置へと変位させることにより上記カム面と上記カムフォロアとの当接関係が解除可能であると共に、上記第２の位置と上記第３の位置との間に対応する上記カム面は、上記付勢手段の付勢力により上記カム部材を上記第１の位置に向けて付勢可能な脱落防止部を有することを特徴とするカメラ。
【請求項２】
上記第２の位置と上記第３の位置との間に対応する上記カム面は、上記付勢手段の付勢力により上記カム部材を上記第３の位置に向けて付勢可能な挿脱ガイド部をさらに有し、
上記挿脱ガイド部は上記脱落防止部よりも上記第３の位置側に配置されることを特徴とする請求項１に記載のカメラ。
【請求項３】
カメラ本体に固定される固定枠とこの固定枠内に配され所定の範囲内で駆動される駆動枠とを有するレンズ鏡筒ユニットと、
上記駆動枠に突設された係合凸部と、
上記駆動枠側の面に設けられ上記係合凸部と係合される係合溝と、他方の面に設けられるファインダカム面とを有し、上記駆動枠の変位に伴って第１の位置から第２の位置に移動すると共に、上記駆動枠の変位に伴う移動範囲外である第３の位置へと移動可能であって、上記固定枠の外側に保持されるファインダカム部材と、
上記ファインダカム面と当接するカムフォロアと一体的に変位されるファインダレンズと、
上記ファインダカム面に上記カムフォロアが当接するように付勢する付勢手段と、
を具備し、
上記カム部材を上記第３の位置へと変位させることにより上記ファインダカム面と上記カムフォロアとの当接関係が解除可能であると共に、上記第２の位置と上記第３の位置との間に対応する上記ファインダカム面は、上記付勢手段の付勢力により上記カム部材を上記第１の位置に向けて付勢可能な脱落防止部を有することを特徴とするカメラ。
【発明の詳細な説明】
【０００１】
【発明の属する技術分野】
本発明は、連動駆動される部材との当接関係を解除してレンズ鏡筒の取り外しが可能なカメラの構造に関する。
【０００２】
【従来の技術】
従来、ズームファインダ装置が組み込まれたカメラに関して提案された特開平１１−２８２０５５号に開示のカメラは、上記ズームレンズ鏡筒の上方部に組み付けられ、上記鏡筒の進退に連動するズームファインダ装置を内蔵している。上記ズームファインダ装置においては、上記鏡筒の進退移動を回転に変換するカム板を有し、上記カム板によりファインダレンズが進退駆動される。
【０００３】
【発明が解決しようとする課題】
一般的にカメラの修理では、レンズ鏡筒周りを修理する頻度が多く、レンズ鏡筒をカメラ本体から取り外し、修理後にレンズ鏡筒が組み込まれる。ところが、上述した特開平１１−２８２０５５号に開示されたカメラでは、上記ファインダ装置は、カム板を介して鏡筒の鏡枠側と連結されており、ファインダ装置を取り外さないと上記連結が解除できない機構が採用されている。したがって、レンズ鏡筒修理時にカメラ本体からレンズ鏡筒を取り外す場合、まず、上記ファインダ装置とカム板とをカメラ本体から外してからレンズ鏡筒を取り外さなければならない。そして、修理終了後にもレンズ鏡筒組み付けてから上記ファインダ装置とカム板とをカメラ本体に組み込まなければならず、レンズ鏡筒自体の修理の他に多くの手間を必要としていた。
【０００４】
本発明は、上述の不具合を解決するためになされたものであり、レンズ鏡筒のカメラ本体からの取り外しと組み付けが簡単に行えるカメラを提供することを目的とする。
【０００５】
【課題を解決するための手段】
本発明の第１のカメラは、カメラ本体に固定される固定枠とこの固定枠内に配され所定の範囲内で駆動される駆動枠とを有するレンズ鏡筒ユニットと、上記固定枠に所定範囲内で移動可能に保持され、上記駆動枠の移動に伴って第１の位置から第２の位置との間で移動されると共に、上記駆動枠の移動に伴って移動される範囲外である第３の位置へと移動可能であって、カム面を有するカム部材と、上記カム面と当接されるカムフォロアと、上記カムフォロアを上記カム面に当接するための付勢手段と、を具備し、上記カム部材を上記第３の位置へと変位させることにより上記カム面と上記カムフォロアとの当接関係が解除可能であると共に、上記第２の位置と上記第３の位置との間に対応する上記カム面は、上記付勢手段の付勢力により上記カム部材を上記第１の位置に向けて付勢可能な脱落防止部を有することを特徴とする。
【０００６】
また、本発明の第２のカメラは、上記第１のカメラにおいて、上記第２の位置と上記第３の位置との間に対応する上記カム面は、上記付勢手段の付勢力により上記カム部材を上記第３の位置に向けて付勢可能な挿脱ガイド部をさらに有し、上記挿脱ガイド部は上記脱落防止部よりも上記第３の位置側に配置されることを特徴とする。
【０００７】
そして、本発明の第３のカメラは、カメラ本体に固定される固定枠とこの固定枠内に配され所定の範囲内で駆動される駆動枠とを有するレンズ鏡筒ユニットと、上記駆動枠に突設された係合凸部と、上記駆動枠側の面に設けられ上記係合凸部と係合される係合溝と、他方の面に設けられるファインダカム面とを有し、上記駆動枠の変位に伴って第１の位置から第２の位置に移動すると共に、上記駆動枠の変位に伴う移動範囲外である第３の位置へと移動可能であって、上記固定枠の外側に保持されるファインダカム部材と、上記ファインダカム面と当接するカムフォロアと一体的に変位されるファインダレンズと、上記ファインダカム面に上記カムフォロアが当接するように付勢する付勢手段と、を具備し、上記カム部材を上記第３の位置へと変位させることにより上記ファインダカム面と上記カムフォロアとの当接関係が解除可能であると共に、上記第２の位置と上記第３の位置との間に対応する上記ファインダカム面は、上記付勢手段の付勢力により上記カム部材を上記第１の位置に向けて付勢可能な脱落防止部を有することを特徴とする。
【０００８】
【発明の実施の形態】
以下、本発明の実施の形態を図に基づいて説明する。
図１は、本発明の一実施形態のカメラの要部分解斜視図である。図２は、上記カメラの組み立て状態での斜視図（透視図）であり、カメラ外装カバーを除いた状態を示す。図３は、上記カメラにおいて、レンズ鏡筒ユニットを取り外すためにファインダレンズ進退駆動用カム板とファインダユニットとの係合を外した状態を示す斜視図（透視図）である。図４は、上記カメラにおいて、レンズ鏡筒ユニットを取り外した状態を示す斜視図（透視図）である。図５は、本実施形態のカメラにおける上記カム板とファインダカムフォロアと駆動ピンとの係合状態の変化を示す外周側からみた展開図である。
【０００９】
本実施形態のカメラは、図１に示すようにカメラ本体１と、カメラ本体１に着脱可能なレンズ鏡筒ユニット２と、ファインダレンズ進退駆動用のファインダカム部材（カム部材）であるカム板７と、ファインダユニット１０等を有してなる。
【００１０】
カメラ本体１には、レンズ鏡筒ユニット２の固定枠挿入用の中央凹部１ａと、前面部に固定枠取り付け用ビス穴１ｄ（図４）と、上面部にファインダユニット取り付け用ビス穴１ｃ等が設けられる。
【００１１】
上記レンズ鏡筒ユニット２は、固定枠３と、固定枠３に対して進退可能に支持される駆動枠である移動枠４と、移動枠４に対して進退可能に支持され、かつ、光軸Ｏをもつ撮影レンズ６を保持するレンズ保持枠６ａとを有してなる。
【００１２】
上記固定枠３には、移動枠４が進退自在に嵌入する内周嵌合部３ａと、カム板７が光軸Ｏと直交する方向に摺動する外周溝であるカム板ガイド溝部３ｂと、ガイド溝部３ｂ内に配置される光軸Ｏ方向に沿った駆動ピンガイド用の直進ガイド溝３ｃと、ビス挿通穴３ｄ（図４）とが設けられている。
【００１３】
上記固定枠３は、移動枠４，レンズ保持枠６ａが組み込まれた状態でカメラ本体１の中央凹部１ａに挿入される。そして、カメラ本体１のビス穴１ｄにてビス２１によりビス挿通穴３ｄを介してカメラ本体１の前面側から螺着し、固定される。
【００１４】
上記移動枠４は、固定枠３の内周嵌合部３ａに挿入され、進退自在に支持され、図示しない鏡筒ユニット駆動部により沈胴位置から撮影可能位置であるワイド位置、さらに、テレ位置のズーム位置に繰り出される。そして、移動枠４には、進退移動に伴って光軸Ｏ方向に進退移動するファインダ連動駆動部材の駆動ピン（係合凸部）５が固着されている。
【００１５】
上記駆動ピン５は、固定枠３の直進ガイド溝３ｃにガイドされ、光軸Ｏ方向に沿って移動枠４と共に進退移動する。
【００１６】
上記カム板７は、湾曲形状を有する部材であって、例えば、固定枠３の外周に沿うように円弧状に形成された略板状の部材である。そして、固定枠３のカム板ガイド溝に周方向に摺動自在に嵌入される。このカム板７には、カム溝（係合溝）７ｆと、ファインダカム部７ａと、外周面上に設けられる凸状の操作ツマミ部７ｂとが設けられる。なお、上記カム溝７ｆは、内周面に沿って設けられ、移動枠４の駆動ピン５が係合するカム溝である。上記ファインダカム部７ａは、上記外周面の周方向に沿って設けられる凸状のカム面で形成される。
【００１７】
上記ファインダユニット１０は、ファインダ本体１１と、ファインダ本体１１に支持され、光軸Ｏと平行に配置されるガイド軸１２と、ガイド軸１２に摺動自在に支持される対物レンズ部材１３，１４と、上記対物レンズ部材１３および１４を互いに接近する方向に付勢する付勢手段である２つの付勢バネ１３ｂ，１４ｂとを有してなる。
【００１８】
上記対物レンズ部材１３，１４は、それぞれ対物レンズ部（ファインダレンズ）１５，１６とカムフォロア部１３ａ，１４ａを有している。
【００１９】
上記ファインダ本体１１には、ガイド軸１２と、対物レンズ部１３，１４と、付勢バネ１３ｂ，１４ｂが組み込まれている。そして、このファインダ本体１１は、ビス挿通穴１１ａを介してビス２２をカメラ本体１のビス部１ｃに螺着することによりカメラ本体１の中央凹部１ａ上部を跨いだ状態で取り付けられる。その際、カメラ本体１側に固定されるカムフォロア部１３ａ，１４ａは、カム板７を回転させた際に後述する挿脱移動傾斜部７ｅに挿入可能な位置に配されている。したがって、この状態からカム板７を反Ｄ1 方向へ回動させることにより、カムフォロア部１３ａ，１４ａがカム板７のファインダカム部７ａと摺動可能に当接する。このとき、カムフォロア部１３ａ，１４ａは、付勢バネ１３ｂ，１４ｂによりファインダカム部７ａに当接するように付勢されている。
【００２０】
上述のような構成を有する本実施形態のカメラの組み立て状態では、図２に示すようにカム板７と駆動ピン５、および、カム板７とファインダユニット１０がそれぞれ係合状態にある。
【００２１】
鏡筒ユニット駆動部により上記レンズ鏡筒ユニット２の移動枠４が光軸Ｏ方向に沿って進退駆動され、沈胴位置（第２の位置）Ｚｃから撮影可能なワイド位置、さらに、テレ位置（第１の位置）ＺTLに繰り出される。そして、撮影レンズ６がワイド位置、または、テレ位置に繰り出される。同時に移動枠４の進退に伴って駆動ピン５が光軸Ｏ方向に沿って移動する。上記駆動ピン５は、カム板７のカム溝７ｆに嵌入しているので、カム板７が光軸Ｏ中心にファインダカムのズーミング使用領域Ｒ1 （図５）内で回動駆動される。
【００２２】
上記カム板７の回動移動に伴ってファインダカム部７ａによりカムフォロア部１３ａ，１４ａが駆動され、ファインダユニット１０の対物レンズ部材１３，１４とがファインダ光軸Ｏｆ（光軸Ｏと略平行）に沿って進退駆動される。レンズ部１５，１６は、撮影レンズ６のワイド位置、または、テレ位置に対応したワイド対応位置、または、テレ対応位置にそれぞれ移動する。
【００２３】
本実施形態のカメラにおいては、レンズ鏡筒ユニット２を修理などのためにカメラ本体１から取り外す必要が生じた場合、一旦、レンズ鏡筒ユニット２を沈胴状態とする。
【００２４】
そこで、カム板７を手動操作によりファインダカムのズーミング不使用領域Ｒ2 （図５）の方向のＤ1 方向に回動移動させて、ファインダユニット１０とレンズ鏡筒ユニット２との係合部の連結を解放する。その解放状態では、ファインダユニット１０をカメラ本体１から取り外すことなく、レンズ鏡筒ユニット２のみを取り外すことができる。
【００２５】
すなわち、レンズ鏡筒ユニット２をカメラ本体１から取り外す場合、図３に示すようにレンズ鏡筒ユニット２の移動枠４を鏡筒駆動部によって駆動し、沈胴位置Ｚｃに繰り込む。そこで、カム板７を操作ツマミ部７ｂにより図３上で時計回り回り（鏡筒取り外し方向）Ｄ1 方向に回動させ、カム板７のカム溝７ｆと駆動ピン５の係合状態が解除される。同時に、カム板７のファインダカム部７ａとファインダユニット１０のカムフォロア１３ａ，１４ａとは、係合状態が解除され、固定枠３側に支持されるカム板７は、ファインダユニット１０と分離される。
【００２６】
そこで、図４に示すようにレンズ鏡筒ユニット固定用のビス２１をカメラ本体１から外してレンズ鏡筒ユニット２の固定枠３をカム板７と共にカメラ本体１から光軸Ｏ方向に沿って前方に抜き取ることにより、レンズ鏡筒ユニット２をカメラ本体１側から取り外すことができる。
【００２７】
修理を終了した後、再度、カメラ本体１にレンズ鏡筒ユニット２を組み付ける場合、上述の動作とは逆の動作を行うことによりレンズ鏡筒ユニット２をカメラ本体１に組み付ける。そして、カム板７を反Ｄ1 方向に回動操作することにより、上記駆動ピン５とカム溝７ｆおよびファインダカム部７ａとカムフォロア１３ａ，１４ａとを係合状態とする。この操作によりファインダユニット１０を取り外すことなくレンズ鏡筒ユニット２に連結させることができる。
【００２８】
ここで、レンズ鏡筒側駆動ピン５とカム板７とファインダ側カムフォロア１３ａ，１４ａの詳細な形状、および、係合解除動作について、図５を用いて詳細に説明する。
【００２９】
図５の展開図は、本実施形態のカメラにおける上記カム板とファインダカムフォロアと駆動ピンとの係合状態の変化を示す外周側からみた図であり、カム板７がレンズ鏡筒ユニット２の各ズーム，沈胴状態対応位置から係合解除動作状態を経て取り外し位置までの状態変化を示している。
【００３０】
カム板７の駆動ピン５が嵌入するカム溝７ｆは、ズームカム溝部７f1と、沈胴対応逃げ部７f2と、解放ガイド溝部７f3とからなる。
【００３１】
上記ズームカム溝部７f1は、駆動ピン５によりカム板７をワイド対応位置からテレ対応位置に移動させるためのカム溝部である。
【００３２】
上記解放ガイド溝部７f3は、Ｄ1 方向と平行（光軸Ｏと直交する方向）に一端部に向けて形成されるであるファインダカムフォロア係合解放用のガイド溝部である。
【００３３】
上記沈胴対応逃げ部７f2は、ズームカム溝部７f1のカメラ後方側（図５中、上側）のカメラ面から凹形状部である逃げ部であって、鏡筒２が沈胴位置にあるとき、駆動ピン５が上記逃げ部７f2上に位置する部分である。鏡筒２が沈胴位置からワイド位置に向けて繰り出されるとき、駆動ピン５は、上記逃げ部７f2から光軸Ｏ方向に沿って移動し、上記ズームカム溝部７f1のカメラ前方側（図５中、下側）のカム面に当接後、ズームカム溝部７f1に進入することになる。
【００３４】
なお、上記カム板７のカム溝７f 形状に関して、適用されるレンズ鏡筒ユニットの構造によって、駆動ピン５のワイド対応位置から沈胴対応位置までの移動量が大きい場合は、上記沈胴対応逃げ部７f2に代えてズームカム溝部７f1と解放ガイド溝部７f3間を連絡するための光軸Ｏに平行に延びるガイド溝が必要となる。
【００３５】
図５に示すようにカム板７のファインダカム部７ａは、駆動範囲のズーミング使用領域Ｒ1 （ファインダ変倍領域）に形成されるズームカム部７ｈと、沈胴対応位置となる谷部７ｃと、挿脱移動範囲のズーミング不使用領域Ｒ2 に形成される脱落防止傾斜部７ｄ、および、挿脱移動傾斜部７ｅとを有している。
【００３６】
なお、上記ズームカム部７ｈは、ファインダカムフォロア１３ａ，１４ａをズーム駆動するためにＤ1 側に向けて広幅となるカム部である。
【００３７】
上記谷部７ｃは、ズームカム部７ｈの端部に形成され、ファインダカムフォロア１３ａ，１４ａを沈胴対応位置に位置させるのカムの谷部である。
【００３８】
上記脱落防止傾斜部７ｄは、上記谷部７ｃから反Ｄ1 側に向けて広幅となるカム部であって、ファインダカムフォロア１３ａ，１４ａがこの傾斜部７ｄに当接する脱落防止領域Ｒ3 にさしかかると、カム板７が反Ｄ1 方向の付勢力を受けるので、ファインダカムフォロア１３ａ，１４ａの抜け出しが防止される。このカム板７を反Ｄ1 方向へと変位させる付勢力は、ファインダカムフォロア１３ａ，１４ａが付勢バネ１３ｂ，１４ｂによりファインダカム７ａに対して付勢されている付勢力の分力であり、脱落防止傾斜部７ｄのカム面形状により反Ｄ1 方向へと変位させる分力が生じる。
【００３９】
上記挿脱傾斜部７ｅは、上記脱落防止傾斜部７ｄから反Ｄ1 側に向けて狭幅となるカム部であって、ファインダカムフォロア１３ａ，１４ａがこの傾斜部７ｄに当接する挿脱移動領域Ｒ4 に到達すると、カム板７は、Ｄ1 方向の付勢力を受けるので、ファインダカム１３ａ，１４ａを容易にカム板７から解放できる。このカム板７をＤ1 方向へと変位させる付勢力は、ファインダカムフォロア１３ａ，１４ａが付勢バネ１３ｂ，１４ｂによりファインダカム７ａに対して付勢されている付勢力の分力であり、挿脱移動傾斜部７ｅのカム面形状によりＤ1 方向へと変位させる分力が生じる。
【００４０】
さて、図５の上方側のレンズ鏡筒ユニット２がテレ位置にあるとき、図５に示すようにカム板７は、駆動ピン５によりズームカム溝部７f1を介して駆動され、テレ対応位置（第１の位置）ＰTLに位置している。そのとき、ファインダカムフォロア１３ａ，１４ａは、ファインダカム部７ａのテレ対応位置に当接している。
【００４１】
レンズ鏡筒ユニット２がワイド位置に繰り込まれると、駆動ピン５によってカム板７がＤ1 方向に回動量Ｓ1 （テレ位置基準にした回動角度）だけ回動駆動され、ワイド対応位置Ｐｗに位置する。このとき、ファインダカムフォロア１３ａ，１４ａは、ファインダカム部７ａのワイド対応位置に当接している。
【００４２】
さらに、レンズ鏡筒ユニット２が沈胴位置まで繰り込まれると、駆動ピン５は、ズームカム溝部７f1を摺動後、沈胴対応逃げ部７f2 に進入する。カム板７は、Ｄ1 方向に回動量Ｓ2 （テレ位置基準にした回動角度）だけ回動した沈胴対応位置（第２の位置）ＰC に位置する。このとき、ファインダカムフォロア１３ａ，１４ａは、ファインダカム部７ａの谷部７ｃに当接し、沈胴対応位置にある。この状態では、カム板７にＤ1 方向に移動させる所定量以内の力が作用してもファインダカムフォロア１３ａ，１４ａが当接する脱落防止傾斜部７ｄの傾斜によって、カム板７が反Ｄ1 方向の付勢力を受けるのでカム板７の脱落が防止される。
【００４３】
そこで、レンズ鏡筒ユニット２をカメラ本体１から取る外すには、カム板７が上記沈胴対応位置ＰC にあるとき、ファインダユニット１０組み付け状態のままでファインダユニット１０とカム板７との係合を解除させる。
【００４４】
まず、操作ツマミ７ｂを押圧操作して沈胴対応位置ＰC にあるカム板７をファインダカムフォロア１３ａ，１４ａによる付勢力に抗してＤ1 方向に回動移動させる。ファインダカムフォロア１３ａ，１４ａが脱落防止傾斜部７ｄを越えた位置ＰA にカム板７が到達すると、カム板７は、挿脱傾斜部７ｅによるＤ1 方向の付勢力を受けて同方向に回動量Ｓ0 （テレ位置基準にした回動角度、沈胴対応位置ＰC から回動量Ｓ3 ）だけ回動移動する。その回動によりファインダカムフォロア１３ａ，１４ａとファインダカム部７ａとの係合が解除され、同時に駆動ピン５は、カム溝７ｆの解放ガイド溝部７f3を通過して係合が解除される。カム板７は、解放位置（第３の位置）ＰB に到達する。
【００４５】
カム板７が解放位置（第３の位置）ＰB にある状態では、ファインダユニット１０がカメラ本体１に装着された状態のまま、レンズ鏡筒ユニット２を固定枠３，移動枠４共にカメラ本体１から取り外すことができる。
【００４６】
上記取り外したレンズ鏡筒ユニット２を修理後、再度、カメラ本体１に組み付ける場合は、上述の動作とは逆にファインダユニット１０の装着状態のままでレンズ鏡筒ユニット２をカメラ本体１に挿入し、固定する。そこで、解放位置ＰB にあるカム板７を反Ｄ1 方向に回動操作して、カム板７の解放カム溝部７f3に駆動ピン５を挿入し、かつ、ファインダカム１３ａ，１４ａをカム板７の挿脱傾斜部７ｅに挿入する。そのとき、上記挿脱傾斜部７ｅの先端部の幅が狭くなっているのでファインダカム１３ａ，１４ａの挿入が容易である。
【００４７】
カム板７を沈胴対応位置ＰC まで回動操作すると、ファインダユニット１０とレンズ鏡筒ユニット２とは連結状態となり、カメラは、動作可能状態に復元する。
【００４８】
上述した本実施形態のカメラによれば、レンズ鏡筒ユニットを修理等でカメラ本体からの取り外す場合、従来のカメラのようにファインダユニット１０をカメラ本体から取り外す必要がなく、ファインダユニット１０装着状態のままでカム板７を回動操作することにより連結状態を解除してレンズ鏡筒ユニット２をカメラ本体１から取り外すことができる。同様に、レンズ鏡筒ユニット２を再度組み付ける場合もファインダユニット１０を装着したままでレンズ鏡筒ユニット装着後、カム板７を回動操作してファインダユニット１０と連結状態とするだけでレンズ鏡筒ユニットの取り付けを完了させることができる。
【００４９】
なお、上記実施形態のカメラにおけるカム板７の係合解放のためのＤ1 方向の回動操作は、手動操作に限らず治具を用いて操作ツマミ部７ｂを操作するようにしてもよい。
【００５０】
また、上記実施形態のカメラにおいては、レンズ鏡筒ユニット２を取り外す場合、ファインダユニット１０との係合状態を解除させるための構成を示したがこれに限らず、レンズ鏡筒ユニット２に連動するオートストロボ駆動ユニットとの係合状態を解放させるための機構に対しても上記実施形態のものと同様の構成を適用可能である。
【００５１】
例えば、レンズ鏡筒ユニット２の沈胴位置から４ワイド位置への移動といった撮影準備動作にともなって発光可能位置と収納位置とに変位する、所謂、ポップアップストロボやレンズ鏡筒ユニット２の変倍動作に連動して反射傘やストロボパネルを変位させることにより照射範囲を変えるズームストロボなどの駆動機構に対しても本発明を同様に適用することができる。
【００５２】
また、上記実施形態のカメラに適用されたカム板７は、湾曲形状を有しているものであったが、これに限らず直線スライド移動するようなカム板に対しても上記実施形態のものと同様の構成を適用可能である。
【００５３】
上述した一実施形態のカメラにおけるファインダ駆動用のカム板７に対して図６の斜視図に示す第１の変形例のカム板を提案することができる。
【００５４】
この第１の変形例のカム板３７は、その上面側に設けられるファインダカム部３７ａが凹部形状で形成される。そのファインダカム部３７ａの幅形状は、前記実施形態におけるカム板７に対してズーミング使用領域Ｒ1 おいては、同等の幅部のズームカム部３７ｈを有する。ズーミング不使用領域Ｒ2 における脱落防止傾斜部３７ｃは、係合解放方向に幅が狭くなるように形成される。また、挿脱移動傾斜部３７ｄは、係合解放方向に幅が広くなるように形成される。また、下面側に設けられ、駆動ピン５が係合するカム溝３７ｆは、上記カム板７のカム溝７ｆと同一形状を有する。さらに、操作ツマミ部３７ｂも同様に設けられている。
【００５５】
なお、上記カム板３７に係合する対物レンズ部材１３，１４のカムフォロア１３ａ，１４ａは、互いに反発する方向に付勢バネにより付勢された状態で上記ファインダカム部３７ａに係合している。
【００５６】
本変形例のカム板３７は、図７に示すように平板形状であってもよく、あるいは、湾曲形状であってもよく、適用されるカメラのレンズ鏡筒ユニットの形状による。
【００５７】
本変形例のカム板３７を適用したカメラの場合も前記第１の実施形態のカメラと同様の効果を奏する。
【００５８】
さらに、上述した一実施形態のカメラにおけるファインダ駆動用のカム板７に対して図７の斜視図に示す第２の変形例のカム板を提案するにともできる。
【００５９】
この第２の変形例のカム板４７においては、その上面側に設けられるファインダカム部４７ａは、前記実施形態におけるカム板７と同様に凸部形状で形成され、同形状のズームカム部４７ｈ，脱落防止傾斜部４７ｃ，挿脱移動傾斜部４７ｄを有する。駆動ピン５が係合するカム溝４７ｆは、上記カム板７のカム溝７ｆと同一形状を有するが、カム板４７では、係合解放端部に突出部４７ｇを設け、カム溝４７ｆの係合解放端部側を閉鎖した溝形状とし、レンズ鏡筒ユニット２に対して遮光性を高めることができる。
【００６０】
また、本変形例のカム板４７には、回動操作用のツマミとして滑り止め付きツマミ部４７ｂが設けられている。
【００６１】
本変形例のカム板４７を適用したカメラによると、ファインダのカムフォロア１３ａ，１４ａとカム板４７のファインダカム部４７ａの係合を解除した場合でも駆動ピン５とカム溝４７ｆとの係合状態は解除されない。したがって、レンズ鏡筒ユニットを取り外したとき、カム板４７がレンズ鏡筒ユニットの固定枠部から解放されないので取り扱いが容易である。また、カム板４７の回動操作が滑り防止付きのツマミ４７bで行えるので操作が容易となる。
【００６２】
上述した本発明の実施形態に基づいて、
（１）  カメラ本体に固定される固定枠と、この固定枠内に配され所定範囲内で駆動される駆動枠とを有するレンズ鏡筒ユニットと、
上記固定枠に所定範囲内で移動可能に保持され、上記駆動枠の移動に伴って第１の位置から第２の位置との間で移動され、ファインダカム面を有するファインダカム部材と、
上記ファインダカム面と当接されるカムフォロアと一体的に進退駆動されるファインダレンズと、
上記カムフォロアを上記カム面に当接させる方向に付勢する付勢手段と、
を具備し、上記ファインダカム部材を上記駆動枠の移動に伴って移動される範囲外である第３の位置へと変位させることにより、上記カム面とカムフォロアとの当接関係が解除可能なことを特徴とするカメラを提案することができる。
【００６３】
（２）  上記第２の位置と第３の位置との間に対応するカム面は、上記付勢手段の付勢力により、上記ファインダカム部材を、上記第１の位置に向けて付勢可能な脱落防止部と、上記第３の位置に向けて付勢可能な挿脱ガイド部とを有することを特徴とする上記（１）記載のカメラを提案することができる。
【００６４】
（３）  カメラ本体に固定される固定枠と、この固定枠内に配され所定の範囲内で駆動される駆動枠とを有するレンズ鏡筒ユニットと、
上記駆動枠に突設された係合凸部と、
上記駆動枠側の面に設けられ、上記係合凸部と係合される係合溝と、他方の面に設けられるファインダカム面とを有し、上記駆動枠の変位に伴って変位可能に上記固定枠の外側に保持された略板状のファインダカム部材と、
上記ファインダカム面と当接するカムフォロアと一体的に変位されるファインダレンズと、
を具備し、上記ファインダカム部材は、上記駆動枠の変位に伴って変位される使用領域と、この使用領域に連続した不使用領域内で移動可能であって、該ファインダカム部材を上記不使用領域へと向けて変位させることにより上記カムフォロアとファインダカム面との当接関係を解除可能なことを特徴とするカメラを提案することができる。
【００６５】
（４）  カメラ本体に固定される固定枠と、この固定枠内に配され所定の範囲内で駆動される駆動枠とを有するレンズ鏡筒ユニットと、
上記駆動枠に突設された係合凸部と、
上記ファインダカム部材の上記駆動枠側の面に設けられ、上記係合凸部と係合される係合溝と、
上記ファインダカム部材の他方の面に設けられるファインダカム面とを有し、上記駆動枠の変位に伴って変位可能に上記固定枠の外側に保持された略板状のファインダカム部材と、
上記ファインダカム面と当接するカムフォロアと一体的に変位されるファインダレンズと、
上記カムフォロアと上記ファインダカム面と当接する方向に付勢する付勢手段と、
を具備し、上記係合溝は、上記レンズ鏡筒ユニットの駆動範囲内に対応して形成される使用領域と、この使用領域から連続して形成され、上記ファインダカム部材の一端部に向けて形成される不使用領域とからなることを特徴とするカメラを提案することができる。
【００６６】
（５）  カメラ本体に固定される固定枠と、この固定枠内に配され所定の範囲内で駆動される駆動枠とを有するレンズ鏡筒ユニットと、
上記駆動枠に突設された係合凸部と、
上記ファインダカム部材の上記駆動枠側の面に設けられ、上記係合凸部と係合される係合溝と、
上記ファインダカム部材の他方の面に設けられるファインダカム面とを有し、上記駆動枠の変位に伴って第１の位置から第２の位置に変位可能に上記固定枠の外側に保持された略板状のファインダカム部材と、
上記ファインダカム面と当接するカムフォロアと一体的に変位されるファインダレンズと、
上記カムフォロアと上記ファインダカム面と当接する方向に付勢する付勢手段と、
を具備し、上記係合溝は、上記レンズ鏡筒ユニットの駆動範囲内に対応して形成される使用領域と、この使用領域から連続して形成され、上記ファインダカム部材の一端部に向けて形成される不使用領域とからなり、上記ファインダカム部材を上記駆動枠の移動に伴って移動される範囲外である第３の位置へと変位させることにより、上記カム面とカムフォロアとの当接関係が解除可能なことを特徴とするカメラを提案することができる。
【００６７】
（６）  上記第２の位置と第３の位置との間に対応するファインダカム面は、上記付勢手段の付勢力により、上記ファインダカム部材を、上記第１の位置に向けて付勢可能な脱落防止部と、上記第３の位置に向けて付勢可能な挿脱ガイド部とを有することを特徴とする上記（５）記載のカメラ。
【００６８】
（７）  撮影光軸に沿って設けられる固定枠内を移動するズームレンズ鏡筒に連動する連動部材と、上記連動部材の変位を撮影光軸とほぼ垂直運動または回転運動に変換するカム溝である第１のカムとファインダ光軸に沿ってファインダ光学系を構成する移動レンズを移動させてファインダ倍率を変更する第２のカムが形成されたカム板とを具備するズームファインダにおいて、
上記カム板は、上記ファインダ変倍領域外を移動範囲にもつことを特徴とするカメラを提案することができる。
【００６９】
（８）  上記変倍領域外における上記第１のカムは、上記変倍領域の沈胴側または望遠側から上記カム板側面まで、上記撮影光軸と垂直方向に形成されることを特徴とする上記（７）記載のカメラを提案することができる。
【００７０】
（９）  上記第１のカムは、上記第２のカムの上記変倍領域外の側での上記沈胴位置または上記望遠端位置にて、上記カム板が上記変倍領域外の側へ所定の力以上の力を与えない限り、上記移動レンズが上記変倍領域外側へ進入しない規制形状を有することを特徴とする上記（７）記載のカメラを提案することができる。
【００７１】
（１０）  上記カム板を上記変倍領域外へ移動させる手段として、上記カメラ本体正面側の上記カム板側面に滑り止め部、または、カム板を上記変倍領域外へ移動させる治具との嵌合部を設けることを特徴とする上記（７）記載のカメラを提案することができる。
【００７２】
【発明の効果】
上述のように本発明によると、レンズ鏡筒のカメラ本体からの取り外しと組み付けが簡単に行うことが可能なカメラを提供することができる。
【図面の簡単な説明】
【図１】図１は、本発明の一実施形態のカメラの要部分解斜視図である。
【図２】上記図１のカメラの組み立て状態での斜視図（透視図）であり、カメラ外装カバーを除いた状態を示す。
【図３】上記図１のカメラにてレンズ鏡筒ユニットを取り外すためにファインダレンズ進退駆動用カム板とファインダユニットとの係合を外した状態を示す斜視図（透視図）である。
【図４】上記図１のカメラにてレンズ鏡筒ユニットを取り外した状態を示す斜視図（透視図）である。
【図５】上記図１のカメラにおける上記カム板とファインダカムフォロアと駆動ピンとの係合状態の変化を示す外周側からみた展開図である。
【図６】上記図１のカメラに適用されたカム板に対する第１の変形例のカム板の斜視図である。
【図７】上記図１のカメラに適用されたカム板に対する第２の変形例のカム板の斜視図である。
【符号の説明】
１  …カメラ本体
２  …レンズ鏡筒ユニット
（レンズ鏡筒）
３  …固定枠
４  …移動枠（駆動枠）
５  …駆動ピン（係合凸部）
７  …カム板
（カム部材，ファインダカム部材）
７ａ…ファインダカム部（カム面）
７ｄ…脱落防止傾斜部
（挿脱移動範囲，不使用領域）
７ｅ…挿脱移動傾斜部
（挿脱移動範囲，不使用領域）
７ｆ…カム溝（係合溝）
７ｈ，３７ｈ，４７ｈ
…ズームカム部
（駆動範囲，使用領域）
１３ａ，１４ａ
…カムフォロア
１５，１６  …レンズ部
（ファインダレンズ）
ＰTL…カム板のテレ対応位置
（第１の位置）
ＰW …カム板のワイド対応位置
ＰC …カム板の沈胴対応位置
（第２の位置）
ＰA …カム板のカムフォロア挿脱位置
ＰB …カム板の解放位置
（第３の位置）
Ｒ1 …ズーミング使用領域
（使用領域，駆動範囲）
Ｒ2 …ズーミング不使用領域
（不使用領域，挿脱移動範囲）
ＺTL…移動枠のテレ位置
（駆動枠の第１の位置）
ＺC …移動枠の沈胴位置
（駆動枠の第２の位置）
【図１】
0003965057.tif 000002
【図２】
0003965057.tif 000003
【図３】
0003965057.tif 000004
【図４】
0003965057.tif 000005
【図５】
0003965057.tif 000006
【図６】
0003965057.tif 000007
【図７】
0003965057.tif 000008